(57)【要約】【課題】導通検査をする場所の制約がなく、簡素な構造で機動性や作業性に富む吊り下げ式導通検査治具を提供する。【解決手段】吊り下げ式導通検査治具１００は、治具本体１０と、治具本体１０に固定された保護ケース２０と、治具本体１０に設置された導通ピン１の後端２に接続されたケーブル４０と、保護ケース２０を吊り下げるための吊り下げワイヤ６０とを有し、保護ケース２０はカップ状であって、保護ケース後面２３にはケーブル４０が貫通するためのケーブル貫通孔２４および吊り下げワイヤ６０が貫通するためのワイヤ貫通孔２６が形成され、ケーブル貫通孔２４とワイヤ貫通孔２６とは離隔し、保護ケース側面２２には吊り下げワイヤ６０の先端６１が貫通する一対のワイヤ固定用孔９１が形成され、吊り下げワイヤ６０の先端６１はワイヤ固定用孔９１を貫通して互いに縛着されている。【選択図】図２
2020008386.tif 000002
【特許請求の範囲】
【請求項１】
検査対象であるコネクタが挿入される治具本体と、
前記治具本体に挿入されたコネクタに収容されている端子に先端が突き当てられ、後端が前記治具本体の本体後面から突出している導通ピンと、
前記導通ピンの後端に先端が接続されたケーブルと、
前記導通ピンの後端と前記ケーブルの先端との接続部を包囲し、前記治具本体に固定された保護ケースと、
前記治具本体を吊り下げるための吊り下げワイヤとを有し、
前記保護ケースは前記本体後面に略平行な保護ケース後面と、前記治具本体と前記保護ケース後面とを連結する筒状の保護ケース側面とを具備し、
前記ケーブルは前記保護ケース後面に形成されたケーブル貫通孔を貫通し、
前記吊り下げワイヤは前記保護ケース後面に形成されたワイヤ貫通孔を貫通していることを特徴とする吊り下げ式導通検査治具。
【請求項２】
前記吊り下げワイヤは前記保護ケースに接続され、
前記ケーブル貫通孔と前記ワイヤ貫通孔とは離隔していることを特徴とする請求項１記載の吊り下げ式導通検査治具。
【請求項３】
前記治具本体はコネクタを挿入するための開口部が形成された本体前面と前記本体後面とを連結する筒状の本体側面を具備し、
前記本体側面および前記保護ケース側面は緩衝用カバーによって包囲されていることを特徴とする請求項１または２記載の吊り下げ式導通検査治具。
【請求項４】
前記ケーブルの後端に接続コネクタが接続され、前記ケーブルは前記吊り下げワイヤにインシュロックによって固定され、前記ケーブルにおける前記ケーブル貫通孔を貫通した位置から前記インシュロックまでの距離は、前記吊り下げワイヤにおける前記ワイヤ貫通孔を貫通した位置から前記インシュロックまでの距離よりも長いことを特徴とする請求項１ないし３の何れかの請求項記載の吊り下げ式導通検査治具。
【請求項５】
前記接続コネクタに装置側コネクタが接続され、
前記装置側コネクタに接続された装置側ケーブルが前記吊り下げワイヤに装置側インシュロックによって固定され、
前記ケーブルにおける前記インシュロックから前記接続コネクタまでの距離と、前記装置側ケーブルにおける前記装置側インシュロックから前記接続コネクタまでの距離とを合わせた合計距離は、前記吊り下げワイヤにおける前記インシュロックから前記装置側インシュロックまでの距離よりも長いことを特徴とする請求項１ないし４の何れかの請求項記載の吊り下げ式導通検査治具。
【発明の詳細な説明】
【技術分野】
【０００１】
本発明は吊り下げ式導通検査治具、特にコネクタに収容された端子に導通ピンを突き当てて導通検査する治具本体が吊り下げられる吊り下げ式導通検査治具に関する。
【背景技術】
【０００２】
従来、車両等に設置されるコネクタの端子の導通を検査する導通検査治具は、治具基板に固定されたコネクタセット部と、コネクタセット部に向かって進退可能な検査部とを有し、コネクタセット部に検査対象であるコネクタをセットして、検査部を移動させることによって、検査部に設けられた導通ピンを端子に突き当てていた（たとえば、特許文献１参照）。
【先行技術文献】
【特許文献】
【０００３】
【特許文献１】特開２００９−１６３９５３号公報（第４−６頁、図１）
【発明の概要】
【発明が解決しようとする課題】
【０００４】
特許文献１に開示された発明（以下「従来技術」と称す場合がある）は、治具基板が検査セクションの検査台等に固定され、一方の手で保持したコネクタをコネクタセット部にセット（第1の動作）し、他方の手でレバーを操作する（第２の動作）必要があった。したがって、製造ライン等の一部には架台等を配置することが困難なことから、製造ライン等の一部において導通検査をすることができないため、機動性を欠いていた。また、作業者は第1の動作および第２の動作をする必要があるため、作業の迅速性を欠いていた。さらに、案内手段やレバー機構が治具基板に設けられるため、導通検査治具の構造が複雑になり、製造コストが上昇していた。
【０００５】
本発明は、前記問題を解消するものであり、導通検査をする場所の制約がなく、簡素な構造で機動性や作業性に富む吊り下げ式導通検査治具を提供することにある。
【課題を解決するための手段】
【０００６】
本発明に係る吊り下げ式導通検査治具は、検査対象であるコネクタが挿入される治具本体と、前記治具本体に挿入されたコネクタに収容されている端子に先端が突き当てられ、後端が前記治具本体の本体後面から突出している導通ピンと、前記導通ピンの後端に先端が接続されたケーブルと、前記導通ピンの後端と前記ケーブルの先端との接続部を包囲し、前記治具本体に固定された保護ケースと、前記治具本体を吊り下げるための吊り下げワイヤとを有し、
前記保護ケースは前記本体後面に略平行な保護ケース後面と、前記治具本体と前記保護ケース後面とを連結する筒状の保護ケース側面とを具備し、前記ケーブルは前記保護ケース後面に形成されたケーブル貫通孔を貫通し、前記吊り下げワイヤは前記保護ケース後面に形成されたワイヤ貫通孔を貫通していることを特徴とする。
【発明の効果】
【０００７】
本発明に係る吊り下げ式導通検査治具は、一方の手で掴んだコネクタを、他方の手で掴んだ治具本体に挿入するだけで、コネクタに収容されている端子に導通ピンの先端を突き当てることができるから、治具本体を検査台等に設置する必要がない。したがって、車等の製造ラインの直上または製造ラインの近くに吊り下げておいて、容易かつ迅速に導通検査を実施することが可能になり、機動性や作業性が向上する。
【図面の簡単な説明】
【０００８】
【図１】本発明の実施の形態１に係る吊り下げ式導通検査治具を模式的に説明する全体を示す側面図である。
【図２】本発明の実施の形態１に係る吊り下げ式導通検査治具を模式的に説明するものであって、一部（治具本体）の部分を断面にして示す側面図である。
【図３】本発明の実施の形態２に係る吊り下げ式導通検査治具を模式的に説明するものであって、一部（治具本体）の部分を断面にして示す側面図である。
【図４】本発明の実施の形態３に係る吊り下げ式導通検査治具を模式的に説明するものであって、一部（治具本体）の部分を断面にして示す側面図である。
【発明を実施するための形態】
【０００９】
以下、図面を参照しながら、本発明の実施の形態１〜３に係る吊り下げ式導通検査治具について説明する。なお、各図面は模式的に描かれているため、各部材の形状や大きさ、あるいは部材間の位置関係は図示された形態に限定されるものではない。
【００１０】
［実施の形態１］
図１〜図３は本発明の実施の形態１に係る吊り下げ式導通検査治具を模式的に説明するものであって、図１は全体を示す側面図、図２は一部（治具本体）の部分を断面にして示す側面図、図３は作用効果を説明するための比較材について、一部（治具本体）の部分を断面にして示す側面図である。
【００１１】
（全体構成）
図１および図２において、吊り下げ式導通検査治具１００は、治具本体１０と、治具本体１０に固定された保護ケース２０と、治具本体１０に設置された導通ピン１と、導通ピン１に接続されたケーブル４０と、ケーブル４０に接続された接続コネクタ５０と、保護ケース２０（治具本体１０に固定されている）を吊り下げるための吊り下げワイヤ６０とを有している。以下、それぞれについて詳細に説明する。
【００１２】
（治具本体）
治具本体１０は、検査対象であるコネクタ（図示しない）が侵入可能な開口部（図示しない）が形成された本体前面１１と、本体前面１１に平行で導通ピン１の後端２が突出している本体後面１３と、本体前面１１と本体後面１３とを連結する筒状の本体側面１２とを具備している。なお、導通ピン１の先端（図示しない）に、治具本体１０に挿入されたコネクタに収容されている端子（図示しない）が突き当てられる。
【００１３】
（保護ケース）
保護ケース２０はカップ状であって、本体後面１３に略平行な保護ケース後面２３と、保護ケース後面２３と本体後面１３とを連結する筒状の保護ケース側面２２とを具備し、保護ケース側面２２の治具本体１０側の端面（以下「保護ケース前面２１」と称す）が本体後面１３に固定されている。なお、治具本体１０と保護ケース２０との一体化の形態はこれに限定するものではなく、本体側面１２に保護ケース側面２２が固定されてもよい。
そして、保護ケース後面２３には、ケーブル４０が貫通するためのケーブル貫通孔２４と、吊り下げワイヤ６０が貫通するためのワイヤ貫通孔２６とが形成され、ケーブル貫通孔２４とワイヤ貫通孔２６とは離隔している。また、保護ケース側面２２には、吊り下げワイヤ６０が貫通可能な一対のワイヤ固定用孔９１が形成されている。
【００１４】
（ケーブルおよび装置側ケーブル）
ケーブル４０はケーブル貫通孔２４を貫通し、先端４１は導通ピン１の後端２に接続され、後端４３が接続コネクタ５０に接続されている。
さらに、接続コネクタ５０に装置側コネクタ７０が接続され、装置側コネクタ７０には、図示しない導通検査装置に接続された装置側ケーブル８０が接続されている。
【００１５】
（吊り下げワイヤ）
吊り下げワイヤ６０の先端６１に近い範囲は、保護ケース側面２２に形成された一対のワイヤ固定用孔９１を貫通して互いに縛着されている。なお、吊り下げワイヤ６０の後端（図示しない）は、たとえば、車の製造ラインの直上または製造ラインの近くに設置されている架台（柱や梁等）に旋回手段（ホイスト等）、伸縮手段（スプリング等）あるいは減量手段（バランサー等）を介して接続される。
【００１６】
（吊り下げ形態）
そして、ケーブル４０は接続コネクタ５０に近い位置において吊り下げワイヤ６０にインシュロック９２によって固定されている。このとき、ケーブル４０のケーブル貫通孔２４を貫通した位置からインシュロック９２によって固定された位置までの距離は、吊り下げワイヤ６０のワイヤ貫通孔２６を貫通した位置からインシュロック９２によって固定された位置までの距離よりも長い。すなわち、保護ケース後面２３とインシュロック９２によって固定された位置との間において、吊り下げワイヤ６０は直線状に緊張しているのに対し、ケーブル４０は曲線状に弛んでいる。
【００１７】
また、装置側ケーブル８０は吊り下げワイヤ６０に装置側インシュロック９３によって固定されている。このとき、ケーブル４０のインシュロック９２によって固定された位置から接続コネクタ５０までの距離と、装置側ケーブル８０の装置側インシュロック９３によって固定された位置から接続コネクタ５０までの距離とを合わせた合計距離は、吊り下げワイヤ６０のインシュロック９２によって固定された位置から装置側インシュロック９３によって固定された位置までの距離よりも長い。すなわち、インシュロック９２によって固定された位置と装置側インシュロック９３によって固定された位置との間において、吊り下げワイヤ６０は直線状に緊張しているのに対し、装置側ケーブル８０は曲線状に弛んでいる。
なお、本発明は固定手段をインシュロック９２や装置側インシュロック９３に限定するものではなく、相対移動不可能に固定するものであれば何れの手段であってもよい。
【００１８】
（作用効果）
以上のように、治具本体１０は吊り下げられるものであって、従来技術のような治具基板を有しないため、導通検査をする場所の制約がなくなるから、たとえば車等の製造ラインの直上または製造ラインの近くに吊り下げておいて、導通検査をすることが可能になり、機動性が向上する。
また、一方の手で掴んだ検査対象であるコネクタを、他方の手で掴んだ治具本体１０に挿入するだけで、コネクタに収容されている端子に導通ピン１の先端を突き当てることができるから、容易かつ迅速に導通検査を実施することが可能になり、作業性が向上する。
特に、ケーブル貫通孔２４とワイヤ貫通孔２６とが離隔しているから、治具本体１０が様々な姿勢になっても、保護ケース後面２３に近い範囲におけるケーブル４０（束状になっている）と吊り下げワイヤ６０とは離隔して相互の干渉が抑えられるため、ケーブル４０の断線等の不具合が解消する。
【００１９】
［実施の形態２］
図３は本発明の実施の形態２に係る吊り下げ式導通検査治具を模式的に説明するものであって、一部（治具本体）の部分を断面にして示す側面図である。なお、なお、実施の形態１における部位と同じ部位または相当する部位については、同じ名称および符号を付し、一部説明を省略する。
図３において、吊り下げ式導通検査治具２００は、ワイヤ貫通孔２６の位置とケーブル貫通孔２４の位置とが一致しているため、見かけ上保護ケース２０にはケーブル貫通孔２４のみが形成されている。そして、本体後面１３の中央にワイヤ固定用柱９４が立設され、ワイヤ固定用柱９４の先端にワイヤ固定用孔９１が形成されている。すなわち、ワイヤ固定用孔９１が保護ケース側面２２に形成されていないため、吊り下げワイヤ６０はワイヤ貫通孔２６を貫通してワイヤ固定用柱９４に接続されている。
したがって、吊り下げ式導通検査治具２００は、吊り下げ式導通検査治具１００（実施の形態１）と同様に導通検査をする場所の制約がなくなるから、機動性が向上する。
なお、吊り下げワイヤ６０はケーブル貫通孔２４を貫通する位置において、ケーブル４０の束の略中央に位置しているから、治具本体１０が様々な姿勢になった際、ケーブル貫通孔２４に近い範囲におけるケーブル４０（束状になっている）と吊り下げワイヤ６０とは相互に干渉してケーブル４０が摩耗するおそれがある。
【００２０】
［実施の形態３］
図４は本発明の実施の形態３に係る吊り下げ式導通検査治具を模式的に説明するものであって、一部（治具本体）の部分を断面にして示す側面図である。なお、実施の形態１における部位と同じ部位または相当する部位については、同じ名称および符号を付し、一部説明を省略する。
【００２１】
（治具本体）
図４において、吊り下げ式導通検査治具３００では、治具本体１０の本体側面１２および保護ケース２０の保護ケース側面２２がウレタン製の緩衝カバー３０によって包囲されている。
なお、緩衝カバー３０は、本体前面１１の外周範囲（コネクタが侵入する開口部の周囲）を包囲してもよく、あるいは、本体後面１３（保護ケース前面２１より外側の範囲）の包囲を省略してもよい。また、緩衝カバー３０の材質はウレタンに限定するものではなく、ゴムや合成樹脂等であってもよい。
【００２２】
（作用効果）
吊り下げ式導通検査治具３００は前記構成であるから、吊り下げ式導通検査治具１００（実施の形態１）と同様の作用効果を奏する。特に、緩衝カバー３０を有するため、車等の製造ラインの直上または製造ラインの近くに吊り下げておいて、導通検査を実施する場合、治具本体１０または保護ケース２０が緩衝カバー３０を介して車等に接触したとしても、車等を傷付けることがない。よって、吊り下げ式導通検査治具３００を吊り下げる場所の制約がさらに少なくなり、さらに安心して使用することができる。なお、吊り下げ式導通検査治具２００（実施の形態２）に緩衝カバー３０を設置してもよい。
【００２３】
以上、本発明を実施の形態１〜３をもとに説明した。この実施の形態１〜３は例示であり、それらの各構成要素およびその組合せにいろいろな変形例が可能なこと、またそうした変形例も本発明の範囲にあることは当業者に理解されるところである。
【産業上の利用可能性】
【００２４】
本発明は以上であるから、様々な形態のコネクタの導通検査をする吊り下げ式導通検査治具として広く利用することができる。
【符号の説明】
【００２５】
１：導通ピン
２：後端
１０：治具本体
１１：本体前面
１２：本体側面
１３：本体後面
２０：保護ケース
２１：保護ケース前面
２２：保護ケース側面
２３：保護ケース後面
２４：ケーブル貫通孔
２６：ワイヤ貫通孔
３０：緩衝カバー
４０：ケーブル
４１：先端
４３：後端
５０：接続コネクタ
６０：吊り下げワイヤ
６１：先端
７０：装置側コネクタ
８０：装置側ケーブル
９１：ワイヤ固定用孔
９２：インシュロック
９３：装置側インシュロック
９４：ワイヤ固定用柱
１００：吊り下げ式導通検査治具（実施の形態１）
２００：吊り下げ式導通検査治具（実施の形態２）
３００：吊り下げ式導通検査治具（実施の形態３）
【図１】
2020008386.tif 000003
【図２】
2020008386.tif 000004
【図３】
2020008386.tif 000005
【図４】
2020008386.tif 000006